(57)【要約】  【課題】カード等に記録された情報が盗み取られることが無い小物入れであって、携帯に不便がなく、耐久性が高く、さらに製造も容易な小物入れを提供する。  【解決手段】携帯用小物入れ１は、閉塞側の辺（図１のＣ−Ｃエリア）が縫製されており、表面の表側を構成する基布５と裏側を構成する基布６が重ねられ、その端部が糸７によって縫合され、別布により端の始末がされた上、裏表を裏返して袋形状が作られている。基布５，６に積層フィルム１０が重ねられており、前記した縫製の際に基布５，６と共に積層フィルム１０も縫合されている。積層フィルム１０は、アルミニウム箔層１２と樹脂層１３が積層されたものである。携帯用小物入れ１は、内面の全てにアルミニウム箔層１２と樹脂層１３との積層フィルム１０が設けられているので、カードから発せられる電磁波が外部に洩れずスキミングされることは無い。【選択図】  図１
2006341583.tif 000002
【特許請求の範囲】
【請求項１】
金属層と樹脂層が積層された情報漏洩防護フィルム。
【請求項２】
金属層は、アルミニウム層であることを特徴とする請求項１に記載の情報漏洩防護フィルム。
【請求項３】
金属層を複数有することを特徴とする請求項１に記載の情報漏洩防護フィルム。
【請求項４】
金属層の少なくとも一層は、アルミニウム層であることを特徴とする請求項３に記載の情報漏洩防護フィルム。
【請求項５】
カーボン層を有することを特徴とする請求項１乃至４のいずれかに記載の情報漏洩防護フィルム。
【請求項６】
複数のカーボン層を有することを特徴とする請求項１乃至５のいずれかに記載の情報漏洩防護フィルム。
【請求項７】
異なる種類の金属層が混在していることを特徴とする請求項１乃至６のいずれかに記載の情報漏洩防護フィルム。
【請求項８】
少なくともアルミニウム層と、鉄層を有することを特徴とする請求項１乃至７のいずれかに記載の情報漏洩防護フィルム。
【請求項９】
少なくともアルミニウム層と、銀層を有することを特徴とする請求項１乃至８のいずれかに記載の情報漏洩防護フィルム。
【請求項１０】
少なくとも銅層を有することを特徴とする請求項１乃至９のいずれかに記載の情報漏洩防護フィルム。
【請求項１１】
縫製可能な強度を備えたことを特徴とする請求項１乃至１０のいずれかに記載の情報漏洩防護フィルム。
【請求項１２】
請求項１乃至１１のいずれかに記載の情報漏洩防護フィルムが取り付けられたことを特徴とする携帯用小物入れ。
【請求項１３】
一部が露出した状態でカードを保持可能なカード挿入ポケットが設けられ、当該カード挿入ポケットに情報漏洩防護フィルムが取り付けられたことを特徴とする請求項１２に記載の携帯用小物入れ。
【請求項１４】
一部が露出した状態でカードを保持可能なカード挿入ポケットが設けられ、カード挿入ポケットは、小物入れの本体側に面する内壁と、これに対向する外壁によって構成され、カード挿入ポケットの少なくとも内壁側に情報漏洩防護フィルムが取り付けられていることを特徴とする請求項１２に記載の携帯用小物入れ。
【請求項１５】
カード挿入ポケットが設けられ、カード挿入ポケットを構成する壁の一方側に情報漏洩防護フィルムが取り付けられ、カード挿入ポケットの他方側の壁は、電磁波が透過可能であることを特徴とする請求項１２に記載の携帯用小物入れ。
【請求項１６】
一面側に電磁波防護層が設けられたカードが挿入されることを特徴とする請求項１２乃至１５のいずれかに記載の携帯用小物入れ。
【請求項１７】
布帛又は革製の基材層を有し、当該基材層の裏側に情報漏洩防護フィルムが縫合されていることを特徴とする請求項１２乃至１６のいずれかに記載の携帯用小物入れ。
【請求項１８】
全面に情報漏洩防護フィルムが設けられていることを特徴とする請求項１２乃至１７のいずれかに記載の携帯用小物入れ。
【請求項１９】
請求項１乃至１１のいずれかに記載の情報漏洩防護フィルムで作られたカードケース。
【請求項２０】
請求項１乃至１１のいずれかに記載の情報漏洩防護フィルムが内蔵された情報漏洩防止板。
【請求項２１】
少なくとも一方の面に接着層が設けられたことを特徴とする請求項１乃至１１のいずれかに記載の情報漏洩防護フィルム。
【発明の詳細な説明】
【技術分野】
【０００１】
本発明は、鞄、袋物、財布、定期入れ、カード入れ等の携帯用小物入れやカードケースに関するものであり、特に個人情報の漏洩を防止する機能が付加された携帯用小物入れ等に関するものである。また本発明は、上記した小物入れ等に使用される情報漏洩防護フィルムに関するものである。
【背景技術】
【０００２】
鞄やカード入れ等の携帯用小物入れは、古くから知られており、誰もが日常的に使用している。携帯用小物入れには、小銭やハンカチ等の他、キャッシュカードや銀行カード等のカードも入れられる。
これらのカードには、例えば特許文献１の様にＩＣチップ等が埋め込まれたものがある。ＩＣチップ等には口座情報や暗証番号等の重要な情報が記録されている。
【特許文献１】特開２００５−７３１１３号公報
【発明の開示】
【発明が解決しようとする課題】
【０００３】
ところで、近年、スキミングと称される不正行為が問題となっている。スキミングは、他人のカードから口座情報や暗証番号等を読み出し、預金を引き出したり物品を購入する行為である。
本出願時において、スキミング犯の検挙数は少なく、その手口は定かではない。しかしながら、ＩＣチップが埋め込まれたカードには非接触形のものもあり、当該非接触形のカードについては、通勤途上の混雑に紛れてのスキミングが可能ではないかと言われている。即ち非接触形のカードは、樹脂カードにコイルとＩＣチップが埋め込まれており、コイルに磁界を与えることで誘導電流を起こしてＩＣチップのデータを読みだすことができる。そのため所定の機能を備えたカードリーダを近づけるだけでＩＣチップに記録された口座情報や暗証番号等を読み取ることができる。
【０００４】
従って満員電車の中の様に他人と近接した状態にある場合、近接した位置に居る者がカードリーダを保持しておれば、カードの口座番号等を盗み取られる可能性がある。また近年、カードリーダの性能が向上し、カードと同等サイズのカードリーダも市販されている。この様な現状から、スキミングに対する不安が高く、スキミングを防止する対策が望まれている。
スキミングを防止する方策として、鞄やカード入れに金属板を取り付け、カードから漏洩する電磁波を遮蔽する方策が考えられるが、この様な構造のカード入れ等は、厚さが厚いものとならざるを得ず、携帯に不便である。
また金属箔を取り付ける構造も考えられるが、金属箔はやぶれ易く、耐久性が劣る。さらに金属箔を使用した構造は、金属箔の取付けに苦慮するという問題がある。
【０００５】
そこで本発明は、上記した現状を踏まえ、カード等に記録された情報が盗み取られることが無い小物入れであって、携帯に不便がなく、耐久性が高く、さらに製造も容易な小物入れを提供することを課題とする。また併せてスキミング等を防ぐためのフィルムを提供することを課題とする。
【課題を解決するための手段】
【０００６】
そして上記した課題を解決するための請求項１に記載の発明は、金属層と樹脂層が積層された情報漏洩防護フィルムである。
【０００７】
本発明の情報漏洩防護フィルムは、金属層によって電磁波を遮蔽するのでカード等に記録された情報が外部に洩れない。また本発明の情報漏洩防護フィルムは、建材としても利用可能であり、室内の電話等から洩れる電磁波が室外に洩れることを防ぎ、情報の漏洩を防止することができる。
【０００８】
金属層の素材は、アルミニウム、銅、銀等が採用可能であるが、銅は、錆びやすく、銀は高価であることからアルミニウムが最も適している。
【０００９】
この点に注目して完成された請求項２に記載の発明は、金属層は、アルミニウム層であることを特徴とする請求項１に記載の情報漏洩防護フィルムである。
【００１０】
また請求項３に記載の発明は、金属層を複数有することを特徴とする請求項１に記載の情報漏洩防護フィルムである。
【００１１】
請求項４に記載の発明は、金属層の少なくとも一層は、アルミニウム層であることを特徴とする請求項３に記載の情報漏洩防護フィルムである。
【００１２】
またカーボン層を設けることが推奨される（請求項５）。
【００１３】
即ちカーボン層は、電磁波を吸収する機能を持ち、カード等に記録された情報が外部に洩れない。
【００１４】
カーボン層は複数あることが望ましい（請求項６）。
【００１５】
例えば表裏面にカーボン層を設けることが推奨される。
【００１６】
請求項７に記載の発明は、異なる種類の金属層が混在していることを特徴とする請求項１乃至６のいずれかに記載の情報漏洩防護フィルムである。
【００１７】
また請求項８に記載の発明は、少なくともアルミニウム層と、鉄層を有することを特徴とする請求項１乃至７のいずれかに記載の情報漏洩防護フィルムである。
【００１８】
アルミニウム層は電磁波を遮蔽する機能が高く、鉄層は磁気を遮蔽する機能が高いので、両者を積層することによる相乗効果が高い。
【００１９】
請求項９に記載の発明は、少なくともアルミニウム層と、銀層を有することを特徴とする請求項１乃至８のいずれかに記載の情報漏洩防護フィルムである。
【００２０】
アルミニウム層と、銀層は、効果的に電磁波を遮蔽する周波数領域が異なる。そのため両者を積層することによって遮蔽効果の低い周波数領域を補完することができる。
【００２１】
また銅層を設けてもよい（請求項１０）。
【００２２】
請求項１１に記載の発明は、縫製可能な強度を備えたことを特徴とする請求項１乃至１０のいずれかに記載の情報漏洩防護フィルムである。
【００２３】
本発明の情報漏洩防護フィルムは、縫製可能であるから、小物入れの内面等に縫い付けることができ、電磁波が洩れない構造にすることができる。
【００２４】
請求項１２に記載の発明は、請求項１乃至１１のいずれかに記載の情報漏洩防護フィルムが取り付けられたことを特徴とする携帯用小物入れである。
【００２５】
本発明の小物入れは、アルミニウム層等が積層されたフィルムが取り付けられており、当該アルミニウム層等によって電磁波を遮蔽されるのでカードに記録された情報が外部に洩れない。
また小物入れに取り付けられるのはフィルムであるから、厚さが薄く、小物入れの総厚を増加させることはない。
さらに本発明では、アルミニウム箔等と樹脂が積層されたフィルムを使用するので強度が高く、耐久性が高い。また当該フィルムは縫製によって他部材と結合することができるので、小物入れの製造にも障害を与えない。
【００２６】
請求項１３に記載の発明は、一部が露出した状態でカードを保持可能なカード挿入ポケットが設けられ、当該カード挿入ポケットに情報漏洩防護フィルムが取り付けられたことを特徴とする請求項１２に記載の携帯用小物入れである。
【００２７】
本発明の小物入れでは、一部が露出した状態でカードを保持可能なカード挿入ポケットが設けられているから、カードの出し入れが容易である。またカードは全面を遮蔽する必要はなく、コイル部分等の特定の部分を遮蔽すれば足りる。これに対して本発明では、カード挿入ポケットに積層フィルムが取り付けらているから、コイル部分等の特定の部分は積層フィルムによって覆われ、電磁波が漏洩することはない。
【００２８】
請求項１４に記載の発明は、一部が露出した状態でカードを保持可能なカード挿入ポケットが設けられ、カード挿入ポケットは、小物入れの本体側に面する内壁と、これに対向する外壁によって構成され、カード挿入ポケットの少なくとも内壁側に情報漏洩防護フィルムが取り付けられていることを特徴とする請求項１２に記載の携帯用小物入れである。
ここで「内壁側」とは方向を表すものであり、「内壁」そのものとは異なる。従って「内壁側に情報漏洩防護フィルムが取り付けられている」とは、ポケットの内壁そのもの（内壁の表面、裏面、内面を含む）に情報漏洩防護フィルムが取り付けられていてもよく、内壁を離れて設けられた壁、例えば小物入れの外周壁に情報漏洩防護フィルムが取り付けられていてもよい。以下の請求項についても同様である。
【００２９】
本発明の小物入れについても、一部が露出した状態でカードを保持可能なカード挿入ポケットが設けられているから、カードの出し入れが容易である。また本発明の小物入れでは、ポケットの内壁側に情報漏洩防護フィルムが取り付けられているから、電磁波は小物入れの本体側には洩れない。またカードは、一部が露出した状態でポケットに挿入されるので、カードの構造や挿入方法の向き、深さ等によってはポケット側に電磁波を出すこともできる。
【００３０】
請求項１５に記載の発明は、カード挿入ポケットが設けられ、カード挿入ポケットを構成する壁の一方側に情報漏洩防護フィルムが取り付けられ、カード挿入ポケットの他方側の壁は、電磁波が透過可能であることを特徴とする請求項１２に記載の携帯用小物入れである。
【００３１】
本発明の小物入れでは、電磁波は、一方側には出ないが、他方側には電磁波を出すことができる。
【００３２】
請求項１６に記載の発明は、一面側に電磁波防護層が設けられたカードが挿入されることを特徴とする請求項１２乃至１５のいずれかに記載の携帯用小物入れである。
【００３３】
本発明で採用するカードは、一方の面側にだけ電磁波が出る。また請求項１２乃至１５に記載の携帯用小物入れは、前記した様に、一方側にだけ電磁波を出すことが可能である。そのためカード自体の電磁波輻射面を小物入れの電磁波透過面等に合わせてポケットに挿入すると、カードから輻射される電磁波を外部のリーダで受信することができる。逆に電磁波輻射面を小物入れの漏洩防護フィルム側に合わせてポケットに挿入すると、カードに記録された情報を読み出すことはできず、スキミングを防止することができる。
【００３４】
請求項１７に記載の発明は、布帛又は革製の基材層を有し、当該基材層の裏側に情報漏洩防護フィルムが縫合されていることを特徴とする請求項１２乃至１６のいずれかに記載の携帯用小物入れである。
【００３５】
本発明の小物入れでは、ある程度の剛性や強度を有する基材層を持ち、その基材層の裏側に情報漏洩防護フィルムが縫合されている。そのため本発明の小物入れは強度が高い。
【００３６】
また情報漏洩防護フィルムは全面に設けられていてもよい（請求項１８）。
【００３７】
請求項１９に記載の発明は、請求項１乃至１１のいずれかに記載の情報漏洩防護フィルムで作られたカードケースである。
【００３８】
請求項２０に記載の発明は、請求項１乃至１１のいずれかに記載の情報漏洩防護フィルムが内蔵された情報漏洩防止板である。
【００３９】
請求項２１に記載の発明は、少なくとも一方の面に接着層が設けられたことを特徴とする請求項１乃至１１のいずれかに記載の情報漏洩防護フィルムである。
【００４０】
本発明の情報漏洩防護フィルムは、一方の面に接着層が設けられているで、既存の小物入れや定期入れに貼り付けることができ、スキミング対策をとることができる。また部屋の壁等に貼ることにより、室内から電磁波が洩れることを防ぐことができ、盗聴等の対策をとることができる。
【発明の効果】
【００４１】
本発明の小物入れは、電磁波等を遮蔽することができ、スキミングによる情報の盗用を防止することができる効果がある。また本発明の情報漏洩防護フィルムは、情報の漏洩防止機能を付加することができるという優れた効果がある。
【発明を実施するための最良の形態】
【００４２】
以下さらに本発明の実施形態について説明する。
図１は、本発明の実施形態の携帯用小物入れの正面図である。図２は、図１のＡ−Ａ断面拡大図である。図３は、積層フィルム（情報漏洩防護フィルム）の拡大断面図である。
【００４３】
図１に示す携帯用小物入れ１は、全体が略長方形であり、その二辺（図１のＢ−Ｂエリア）が開口する。そして当該開口部分にはファスナー２が取り付けられている。
携帯用小物入れ１は、閉塞側の辺（図１のＣ−Ｃエリア）が縫合されて作られている。縫製部分の構造は、図２の通りである。即ち携帯用小物入れ１の表面の表側を構成する基布５と裏側を構成する基布６が重ねられ、その端部が糸７によって縫合され、別布により端の始末がされた上、裏表を裏返して袋形状が作られている。
【００４４】
また特に本実施形態では、基布５，６に積層フィルム（情報漏洩防護フィルム）１０が重ねられており、前記した縫製の際に基布５，６と共に積層フィルム１０も縫合されている。
従って本実施形態の携帯用小物入れ１は、袋形状の内面の全てに積層フィルム１０が設けられている。
ここで積層フィルム１０は、例えばスナック菓子の袋の素材と同等のものであり、図３の様にアルミニウム箔層１２と樹脂層１３が積層されたものである。
ここでアルミニウム箔層１２の厚さは、８μｍ以上であることが望ましく、さらに１８μｍ以上であることが推奨される。即ちアルミニウム箔層１２の厚さが、８μｍ未満である場合は、電磁波を遮蔽する機能が十分ではない。アルミニウム箔層１２の厚さが、１８μｍ以上であれば、相当の強度を有する電磁波であっても遮蔽することができ、信頼性が高い。
上記した積層フィルム１０は、２層構造であるが、３層以上の構成であってもよい。３層以上の構成を持つ例については後記する。
【００４５】
樹脂層の素材は任意であり、公知の樹脂であってフィルム化が可能なものであれば良い。例えばセロハン、ポリエチレン、延伸ポリプロピレン、無延伸ポリプロピレン、ポリエチレンテレフタレート，ポリ塩化ビニリデンコート二軸延伸ポリプロピレン、Ｋコートポリエチレンテレフタレート、エチレンビニルアルコール共重合体等の樹脂を使用することができる。
【００４６】
本実施形態の携帯用小物入れ１は、ファスナー２を開いて中の空間にカード等を入れることができるが、本実施形態の携帯用小物入れ１は、内面の全てにアルミニウム箔層１２と樹脂層１３との積層フィルム１０が設けられているので、カードから発せられる電磁波が外部に洩れない。そのためスキミングされることは無い。
また積層フィルム１０は、基布５，６を縫合する際に同時に縫い込まれるので、製造も容易である。
【００４７】
以上説明した実施形態では、積層フィルム１０を全面に設けた例を示したが、要部にだけ積層フィルム１０を設けてもよい。即ちカードを収納する蓋然性が高い部位にのみ、積層フィルム１０を設ける。
以下、要部にのみ積層フィルム１０を設けた例を示す。
図４は、本発明の第二実施形態のハンドバッグの正面図である。図５は、図４のハンドバッグの内ポケットの正面図である。図６は、図５の内ポケットにカードを挿入する際の状態を示す斜視図である。図７は、図５の内ポケットの断面図である。図８は、本発明の第三実施形態の定期入れの斜視図である。図９は、図８の定期入れを開いた状態を示す正面図である。
【００４８】
図４に示すハンドバッグ２０は、内部に内ポケット（カード挿入ポケット）２１が設けられている。内ポケット２１は、図５の様に主としてカード２２が挿入される。内ポケット２１には、カード２２の一部が露出した状態で挿入されるが、内ポケット２１はカード２２のＩＣチップ２３が十分に隠れる深さを持つ。そして本実施形態では、内ポケット２１の内面に前記した積層フィルム１０が縫合されている。即ち図７の様に内ポケット２１の内面の全ての領域に積層フィルム１０が設けられている。
【００４９】
図８，９は、本発明を定期入れに応用した例である。図８，９に示す定期入れ３０は、皮革製の二つ折り構造である。定期入れ３０を開いた状態は、図９の通りであり、図面左側（Ａ−Ｂエリア）は定期入れとなっており、図面右側（Ｂ−Ｃエリア）はカード入れとなっている。
そして図面右側（Ｂ−Ｃエリア）には３個のカード挿入ポケット３５，３６，３７が設けられている。カード挿入ポケット３５，３６，３７は、いずれもカードの一部が露出した状態で挿入されるが、ＩＣチップ２３は隠れる。
また各カード挿入ポケット３５，３６，３７の内面には前記した積層フィルム１０が縫合されている。
【００５０】
一方、図面左側（Ａ−Ｂエリア）には前記した様に定期が挿入される。本実施形態の定期入れ３０では、図面左側（Ａ−Ｂエリア）の定期挿入部位３８には積層フィルムが無い。従って定期挿入部位３８に挿入されたカードは電磁波等が外部に洩れる。そのため例えば電車の非接触形定期を定期挿入部位３８に入れておくと、一々定期を出すことなく改札を通過することができる。
【００５１】
なお、図８に示すように、定期入れを折り畳んだ状態の時、定期入れ側とカード入れ側との間に隙間３１ができるが、この隙間は僅かであり、実質的に電磁波は洩れない。即ち定期入れ側とカード入れ側との間の隙間３１は、カードから発せられる電磁波の波長よりも小さく、電磁波は洩れない。また隙間３１部分の近傍にはアルミニウム箔層１２が幾層にもあり、カードから発せられる電磁波が減衰する。
【００５２】
次に本発明の第四実施形態について説明する。
図１０は、本発明の第四実施形態の札入れの斜視図である。図１１は、図１０の札入れを開いた状態を示す斜視図である。図１２は、図１０の札入れに入れることが望ましいカードの表面図（ａ）と、裏面図（ｂ）である。図１３は、図１２のカードの断面図である。図１４は、図１０の札入れにカードを挿入した状態を示す斜視図である。図１５は、図１０の札入れにカードを挿入した状態におけるポケットの断面図である。図１６は、図１０の札入れにカードを挿入した状態におけるポケットの斜視図である。
【００５３】
本実施形態の札入れ４０は、二つ折り構造であり、札入れ部４１を持ち、札入れ部４１の全面側にカード挿入ポケット４３が設けられている。カード挿入ポケット４３は、深さがカード５０の幅よりも浅く、図１４の様にカード５０は、その一部が露出した状態で挿入される。
【００５４】
カード挿入ポケット４３は、図１５の様に札入れ４０の本体側に面する内壁５１と、ポケットの膨らみを構成する外壁５２によって構成されている。そして本実施形態では、カード挿入ポケット４３の全内周面に積層フィルム（情報漏洩防護フィルム）１０が取り付けられている。即ち外壁５２の内側と内壁５１の内側に積層フィルム（情報漏洩防護フィルム）１０が縫い付けられている。
また本実施形態で採用するカード５０は、一方の面の全域にアルミ箔（電磁波防護層）５３が設けられている。そのためカード５０は、一方の面からだけ電磁波が輻射され、アルミ箔５３が設けらた面からは電磁波は輻射されない。図１２，１６において、網かけした側の表面にアルミ箔５３が設けられており、当該表面は、電磁波の非輻射面である。また「Ａ」の文字が表示された側が電磁波の輻射面である。
【００５５】
本実施形態の札入れ４０では、カード挿入ポケット４３から出さずにカードリーダによって情報の読み出しを行いたい場合は、図１５（ａ）、図１６（ａ）の様にカード５０の電磁波の輻射面が外壁５２に面する様にカード５０を挿入しておく。
本実施形態では前記した様に、カード５０は、その一部が露出した状態で挿入されるので、露出部分から電磁波が輻射され、非接触型のカードリーダでカード５０に記録された情報を読み取ることができる。
【００５６】
逆にカード５０のアルミ箔（電磁波防護層）５３が設けられた側を外壁５２に面する様にカード５０を挿入すると、電磁波は外部に洩れない。そのためスキミングされることはない。
また本実施形態では、カード挿入ポケット４３が複数設けられているので、カード挿入ポケット４３から出さずに情報の読み出しを行いたいカードは、電磁波の輻射面が外壁５２に面する向きに挿入し、そうでないカードについては裏返しにして挿入しておくと便利である。
【００５７】
次に本発明の第五、第六実施形態について説明する。
図１７は、本発明の第五実施形態の定期入れの開いた状態を示す正面図及びカードの正面図である。図１８は、本発明の第六実施形態の定期入れのカードを挿入した状態におけるポケットの断面図である。
【００５８】
第五、第六実施形態は、前記した第四実施形態の変形例である。即ち第四実施形態では、カード挿入ポケット４３の深さを浅くして、カードの露出部分を作り、当該露出部分から電磁波が輻射させた。
これに対して図１７に示す定期入れ６０では、カード挿入ポケット３５の深さはカードがすっぽりと入る深さとし、カード挿入ポケット３５自体に孔６１を設けた。孔６１の位置は、カード５０のＩＣチップ２３の位置に相当する。
本実施形態の定期入れ６０では、孔６１から電磁波が輻射される。なお他の構成は、前記した図９に示す定期入れ３０と同一である。
【００５９】
また図１８に示すように、内壁５１側だけ積層フィルム（情報漏洩防護フィルム）１０を設け、外壁５２には積層フィルムが無い構成としてもよい。本実施形態では、外壁５２は電磁波が透過可能であるから、カード５０の電磁波の輻射面が外壁５２に面する様にカード５０を挿入すると、カード５０をポケット６３から出さなくても非接触型のカードリーダでカード５０に記録された情報を読み取ることができる。
【００６０】
次に積層フィルム１０の変形例について説明する。図２２乃至２７は、積層フィルム（情報漏洩防護フィルム）の変形例の拡大断面図である。
積層フィルム１０は３層以上の構成であってもよいという点については前記したが、具体的には図２２乃至２７に示す様な層構成のものが推奨される。
即ち図２２に示す積層フィルム１０は、ポリエチレンテレフタレート又はポリエチレン等の樹脂層１３を挟んで２層のアルミニウム蒸着層１２が設けられ、さらにその外側に樹脂層１３が積層され、最も外層の二面にカーボン層８０が積層されたものである。樹脂層１３の厚さは、２０〜３０μｍであり、アルミニウム蒸着層１２は１００〜５００オングストローム程度である。
なおアルミニウム蒸着層１２に代わってアルミニウム箔を採用し、アルミニウム箔と樹脂層１３とを、接着剤等で貼り合わせてもよい。
両面のカーボン層８０は、いずれも共役二重結合の炭素化合物を含む。
共役二重結合の炭素化合物をは、電磁波を吸収する機能があり、カードから漏洩する電磁波を吸収する。
【００６１】
図２３に示す積層フィルム１０は、異種の金属層を有するものであり、アルミニウム箔層１２に銅又は銀の層８５が積層されている。銅又は銀の層８５は、蒸着によって接合されてもよく、また予め金属箔化した後に、接着剤等で張り合わせてもよい。本実施形態では、アルミニウム箔層１２と銅又は銀の層８５は接着剤（図示せず）で貼り合わされている。
【００６２】
本実施形態では、異種金属の層を有するものであり、いずれの周波数であっても高い電磁波遮蔽機能を有する。即ち電磁波を遮蔽する能力は、遮蔽しようとする電磁波の周波数の影響を受けるが、周波数と遮蔽能力との関係は、金属ごとに異なる。例えばアルミニウムは、周波数の上昇と共に遮蔽能力も上昇するが、周波数がある一定値以上となると、遮蔽能力が極端に低下する。これに対して、銀では大きな能力低下が見られない。一方、アルミニウムは安価であり、銀は効果である。
本実施形態では、アルミニウムの層と銀の層とを設けたので、周波数の影響が軽減され、いずれの周波数領域においても安定した遮蔽機能を発揮する。
【００６３】
図２４に示す積層フィルム１０は、さらに鉄の層８２を設けたものである。即ち図２４に示す積層フィルム１０は、アルミニウム箔層１２、銀層８１及び鉄層８２が設けられている。これらの金属層１２，８１，８２の間には、ポリエチレンテフタレート等の樹脂層１３が設けられ、さらに最も外面には、ポリエチレンテフタレート等の樹脂層１３を介してカーボン層８０が設けられているる
本実施形態の積層フィルム１０は、鉄層８２が設けられているので、磁気を遮蔽することもできる。さらに鉛の層を追加してもよい。また鉄層８２や銀層８１に代わって鉛層を設けてもよい。
【００６４】
上記した例は、いずれも複雑な積層構造を有するものであるが、図２５に示す様なアルミニウム箔層１２の片面にカーボン層８０を積層し、他面に樹脂層１３を積層した様なものであってもよい。また図２６の様にアルミニウム箔層１２に代わって銀や銅の層８５を設け、片面にカーボン層８０を積層し、他面に樹脂層１３を積層した様なものでもよい。さらに図２７の様にアルミニウム箔層１２に代わって鉄層８２を設け、片面にカーボン層８０を積層し他面に樹脂層１３を積層した様なものであってもよい。銀や銅の層８５、鉄層８２に代わって鉛層を設けてもよい。
【００６５】
次に本発明の情報漏洩防護フィルムの他の用途について説明する。
情報漏洩防護フィルムは、小物入れに限らず、物品の収納物や収納室等から電磁波が洩れることを防ぐことができる。即ち収納物の表面や内面に情報漏洩防護フィルムを貼着したり縫製して取付け、電磁波の洩れを防ぐことができる。カーテンや壁紙に情報漏洩防護フィルムを取り付けることも考えられる。勿論、壁に直接情報漏洩防護フィルムを貼りつけてもよい。
図１９は、壁貼り用の情報漏洩防護フィルムの拡大断面図である。図２０は、壁貼り用の情報漏洩防護フィルムを壁に貼る際の状態を示す斜視図である。
【００６６】
壁貼り用の情報漏洩防護フィルム６５は、図１９の様にアルミニウム箔層１２の両面に樹脂層１３が積層され、さらに一方の面に接着層６６と離型紙層６７が設けられたものである。壁貼り用の情報漏洩防護フィルム６５は、裏面側の離型紙層６７を剥がして図２０の様に壁６８の表面に貼ることができる。
【００６７】
また情報漏洩防護フィルム自体で収納容器を作ってもよい。図２１は、本発明の情報漏洩防護フィルムで作られたカードケースの斜視図である。
本実施形態のカードケース７０は、情報漏洩防護フィルムを二枚重ね、その３辺を熱融着したものであり、袋状であって内部にカード２２を入れることができる。
【００６８】
また図２８の様なラミネートシートの間に積層フィルム１０等を入れた情報漏洩防止板９０も便利である。即ち情報漏洩防止板９０は、図２９の様に二枚の熱融着シートの間に積層フィルム１０等を挟み込み、三者を熱融着したものである。なお挟み込まれる積層フィルム１０は、複数枚であってもよい。即ち同一厚さの積層フィルム１０を大量に製造しておき、必要に応じた厚さとするために複数枚を重ねて使用する。特に情報漏洩防止板９０は、多少厚くなっても弊害が少ないので、安全性を重視して複数枚の積層フィルム１０をラミネートシートの間に挟み込んでもよい。
【００６９】
情報漏洩防止板９０の大きさは名刺サイズであり、カード５０と同様の大きさである。  情報漏洩防止板９０は、例えば図３０に示すようにカード５０の両面に接した状態でサイフやカード入れ等に入れて使用する。本実施形態では、情報漏洩防止板９０に内蔵された積層フィルム１０が電磁波を遮蔽するので、カード５０から発せられる電磁波が外部に洩れない。そのためスキミングされることは無い。
【００７０】
また図３０に示した使用例では、二枚の情報漏洩防止板９０でカード５０を挟んだが、カード５０の一面だけに情報漏洩防止板９０を接しても相当のスキミング防止効果が期待できる。特にカーボン層の様な電磁波を吸収する効果がある層を有する積層フィルム１０を使用すれば外部に洩れる電磁波が弱まり、スキミング防止に役立つ。
【００７１】
上記した様にこれらの実施形態の携帯用小物入れやカード入れは、カードから発せられる電磁波を遮蔽することができ、スキミングを防ぐことができる。
【図面の簡単な説明】
【００７２】
【図１】本発明の実施形態の携帯用小物入れの正面図である。
【図２】図１のＡ−Ａ断面拡大図である。
【図３】積層フィルム（情報漏洩防護フィルム）の拡大断面図である。
【図４】本発明の第二実施形態のハンドバッグの正面図である。
【図５】図４のハンドバッグの内ポケットの正面図である。
【図６】図５の内ポケットにカードを挿入する際の状態を示す斜視図である。
【図７】図５の内ポケットの断面図である。
【図８】本発明の第三実施形態の定期入れの斜視図である。
【図９】図８の定期入れを開いた状態を示す正面図である。
【図１０】本発明の第四実施形態の札入れの斜視図である。
【図１１】図１０の札入れを開いた状態を示す斜視図である。
【図１２】図１０の札入れに入れることが望ましいカードの表面図（ａ）と、裏面図（ｂ）である。
【図１３】図１２のカードの断面図である。
【図１４】図１０の札入れにカードを挿入した状態を示す斜視図である。
【図１５】図１０の札入れにカードを挿入した状態におけるポケットの断面図である。
【図１６】図１０の札入れにカードを挿入した状態におけるポケットの斜視図である。
【図１７】本発明の第五実施形態の定期入れの開いた状態を示す正面図である。
【図１８】本発明の第六実施形態の定期入れのカードを挿入した状態におけるポケットの断面図である。
【図１９】壁貼り用の情報漏洩防護フィルムの拡大断面図である。
【図２０】壁貼り用の情報漏洩防護フィルムを壁に貼る際の状態を示す斜視図である。
【図２１】本発明の情報漏洩防護フィルムで作られたカードケースの斜視図である。
【図２２】積層フィルム（情報漏洩防護フィルム）の変形例の拡大断面図である。
【図２３】積層フィルム（情報漏洩防護フィルム）の他の変形例の拡大断面図である。
【図２４】積層フィルム（情報漏洩防護フィルム）のさらに他の変形例の拡大断面図である。
【図２５】積層フィルム（情報漏洩防護フィルム）のさらに他の変形例の拡大断面図である。
【図２６】積層フィルム（情報漏洩防護フィルム）のさらに他の変形例の拡大断面図である。
【図２７】積層フィルム（情報漏洩防護フィルム）のさらに他の変形例の拡大断面図である。
【図２８】本発明の実施形態の情報漏洩防止板の斜視図である。
【図２９】図２８の情報漏洩防止板の断面図である。
【図３０】図２８の情報漏洩防止板の使用状態を示す斜視図である。
【符号の説明】
【００７３】
１  携帯用小物入れ
５，６  基布
７  糸
１０，６５  積層フィルム（情報漏洩防護フィルム）
１２  アルミニウム箔層
１３  樹脂層
２０  ハンドバッグ
２１  内ポケット（カード挿入ポケット）
２２  カード
２３  ＩＣチップ
３０  定期入れ
３５，３６，３７  カード挿入ポケット
３８  定期挿入部位
４０  札入れ
４３  カード挿入ポケット
５０  カード
５１  内壁
５２  外壁
５３  アルミ箔（電磁波防護層）
６０  定期入れ
６１  孔
６３  ポケット
７０  カードケース
８０  カーボン層
９０  情報漏洩防止板
【図１】
2006341583.tif 000003
【図２】
2006341583.tif 000004
【図３】
2006341583.tif 000005
【図４】
2006341583.tif 000006
【図５】
2006341583.tif 000007
【図６】
2006341583.tif 000008
【図７】
2006341583.tif 000009
【図８】
2006341583.tif 000010
【図９】
2006341583.tif 000011
【図１０】
2006341583.tif 000012
【図１１】
2006341583.tif 000013
【図１２】
2006341583.tif 000014
【図１３】
2006341583.tif 000015
【図１４】
2006341583.tif 000016
【図１５】
2006341583.tif 000017
【図１６】
2006341583.tif 000018
【図１７】
2006341583.tif 000019
【図１８】
2006341583.tif 000020
【図１９】
2006341583.tif 000021
【図２０】
2006341583.tif 000022
【図２１】
2006341583.tif 000023
【図２２】
2006341583.tif 000024
【図２３】
2006341583.tif 000025
【図２４】
2006341583.tif 000026
【図２５】
2006341583.tif 000027
【図２６】
2006341583.tif 000028
【図２７】
2006341583.tif 000029
【図２８】
2006341583.tif 000030
【図２９】
2006341583.tif 000031
【図３０】
2006341583.tif 000032